(57)【特許請求の範囲】
【請求項１】
少なくとも１つのシリンジと共に使用する流体注入装置であって、前記流体注入装置が、
前記少なくとも１つのシリンジを着脱可能に受け入れるように構成された前端部を有する少なくとも１つの注入装置ヘッドと、
注入処置の間に前記少なくとも１つのシリンジを固定するために前記少なくとも１つの注入装置ヘッドの前記前端部に着脱可能に結合された少なくとも１つの圧力ジャケットと、
前記少なくとも１つの圧力ジャケットを前記少なくとも１つの注入装置ヘッドの前記前端部に着脱可能に連結するための連結機構と、
を備え、
前記連結機構が少なくとも１つの磁石を備え、
前記少なくとも１つの注入装置ヘッドが、前記少なくとも１つの磁石を備え、かつ前記少なくとも１つの圧力ジャケットが、前記少なくとも１つの磁石と磁気的に相互作用するように構成された強磁性材料を備える、流体注入装置。
【請求項２】
前記強磁性材料が、前記少なくとも１つの注入装置ヘッドに係合する前記少なくとも１つの圧力ジャケットの端面上に形成される、請求項１に記載の流体注入装置。
【請求項３】
前記少なくとも１つの磁石が、前記少なくとも１つの圧力ジャケットの前記端面に対応する形状で配設された複数の磁石である、請求項１に記載の流体注入装置。
【請求項４】
前記少なくとも１つの磁石が、前記少なくとも１つの注入装置ヘッドの前記前端部に形成されたポケット内に受け入れられる、請求項１に記載の流体注入装置。
【請求項５】
前記少なくとも１つの圧力ジャケットの遠位端部を保持するために、近位端部において前記少なくとも１つの注入装置ヘッドに枢動可能に連結された少なくとも１つのアームを更に備え、前記少なくとも１つのアームが、前記少なくとも１つの圧力ジャケットの前記遠位端部と係合する第１の位置と、前記少なくとも１つの圧力ジャケットの前記遠位端部との係合が外れる第２位置との間で枢動可能である、請求項１に記載の流体注入装置。
【請求項６】
前記少なくとも１つのアームが、前記第１の位置に磁気的に保持される、請求項５に記載の流体注入装置。
【請求項７】
前記少なくとも１つの圧力ジャケットの遠位端部に係合するように前記少なくとも１つのアームの遠位端部に枢動可能に連結された保持ブラケットを更に備え、前記保持ブラケットが第１の位置と第２位置との間で枢動可能である、請求項５に記載の流体注入装置。
【請求項８】
前記保持ブラケットが、前記第１の位置に磁気的に保持される、請求項７に記載の流体注入装置。
【請求項９】
前記少なくとも１つの磁石が永久磁石である、請求項１に記載の流体注入装置。
【請求項１０】
前記少なくとも１つの磁石が電磁石である、請求項１に記載の流体注入装置。
【請求項１１】
流体注入装置と共に使用する圧力ジャケットであって、前記圧力ジャケットが、
近位端部と遠位端部とを有する筒状本体と、
前記筒状本体の内部にシリンジを受け入れるように構成された、前記遠位端部におけるシリンジ受入開口と、
前記圧力ジャケットを前記流体注入装置に着脱可能に連結するように構成された、前記近位端部における端面を備えた連結部と、
前記連結部の少なくとも一部における少なくとも１つの連結要素とを備え、
前記少なくとも１つの連結要素が、前記圧力ジャケットを前記流体注入装置に着脱可能に連結するために前記流体注入装置と磁気的に相互作用するように構成される少なくとも１つの強磁性要素を備える、
圧力ジャケット。
【請求項１２】
前記少なくとも１つの強磁性要素が磁石である、請求項１１に記載の圧力ジャケット。
【請求項１３】
前記少なくとも１つの連結要素がリング状である、請求項１１に記載の圧力ジャケット。
【請求項１４】
少なくとも１つのシリンジと共に使用する流体注入装置であって、前記流体注入装置が、
前記少なくとも１つのシリンジを着脱可能に受け入れるように構成された前端部を有する少なくとも１つの注入装置ヘッドと、
注入処置の間に前記少なくとも１つのシリンジを固定するために前記少なくとも１つの注入装置ヘッドの前記前端部に着脱可能に結合された少なくとも１つの圧力ジャケットと、
前記少なくとも１つの圧力ジャケットの遠位端部を保持するために、近位端部において前記少なくとも１つの注入装置ヘッドに枢動可能に連結された少なくとも１つのアームであって、前記少なくとも１つの圧力ジャケットの前記遠位端部と係合する第１の位置と、前記少なくとも１つの圧力ジャケットの前記遠位端部との係合が外れる第２の位置との間で枢動可能である前記少なくとも１つのアームと、
前記少なくとも１つの圧力ジャケットの遠位端部に係合するように前記少なくとも１つのアームの遠位端部に枢動可能に連結された保持ブラケットと、
前記少なくとも１つの圧力ジャケットを前記少なくとも１つの注入装置ヘッドの前記前端部に着脱可能に連結すること（Ａ）と、前記少なくとも１つのアームを前記第１の位置に保持すること（Ｂ）との少なくとも一方のための連結機構とを備え、
前記連結機構が少なくとも１つの磁石を備え、
前記保持ブラケットが第１の保持ブラケット位置と第２の保持ブラケット位置との間で枢動可能であり、
前記保持ブラケットが、前記第１の保持ブラケット位置に磁気的に保持される、
流体注入装置。
【発明の詳細な説明】
【技術分野】
【０００１】
関連出願の相互参照
本出願は、「Ｍａｇｎｅｔｉｃ  Ｐｒｅｓｓｕｒｅ  Ｊａｃｋｅｔ  ｆｏｒ  Ｄｕａｌ  Ｈｅａｄ  Ｉｎｊｅｃｔｏｒ」という表題の、２０１３年１０月１８日に出願された、米国仮特許出願第６１／８９２８２０号明細書の優先権を主張するものである。この明細書の開示内容は、その全体が参照により本明細書に組み込まれる。
【０００２】
本開示は、医療用流体送達用途を対象とし、特に、流体注入装置と共に使用するように構成された磁気的に保持される圧力ジャケットを対象とする。
【背景技術】
【０００３】
医療分野では、種々の処置で患者に１つまたは複数の医療用流体が注入されることがよくある。患者への比較的大量の流体の制御された注入を必要とする、かかる処置では、カテーテルが流体用の導管として使用され、このカテーテルは、コネクタ管によりシリンジに連結される。１つまたは複数の注入装置ヘッドを有する電動流体注入装置に１つまたは複数のシリンジを装着してもよい。いくつかの実施形態において、流体注入装置は、２つの別個のシリンジから別々の医療用流体を送達することが可能な２つの注入装置ヘッドを有してもよい。
【０００４】
注入可能な流体との長期間の適合性のために、流体注入装置と共に使用するシリンジを、一定の最小限の壁厚を有するポリプロピレンで作ってもよい。患者に流体を注入するために最大１２００ｐｓｉの典型的な圧力が使用されるので、シリンダの厚みは、重要な設計要素である。シリンジの使用中にシリンジを囲んで保持するための圧力ジャケットが当技術分野で知られている。圧力ジャケットは、注入処置の間に流体圧力に起因するシリンジバレルの径方向の膨張を抑える役割を果たす。シリンジの過度な径方向の膨張は、破裂にまたはシリンジプランジャのシールの周りでの加圧流体の漏出につながる場合がある。注入処置の間、シリンジの外壁は、シリンジに径外方向に作用する極端な力に起因して圧力ジャケットの内壁に対して膨張する。追加的に、シリンジおよび／または圧力ジャケットは、シリンジを拘束する構造構成要素の弾性的性質に起因して、高圧注入の間に軸方向に大幅に移動する場合がある。例えば、１２００ｐｓｉ下で１．６平方インチの断面の単一の１５０ｍｌのシリンジの前進運動を抑制するのに、２４００ポンドの力が必要であり得る。このような力は、注入処置の間にシリンジと圧力ジャケットの０．１００インチもの軸方向移動をもたらす場合がある。
【０００５】
本発明のある圧力ジャケットは、シリンジが圧力ジャケットの前（遠位）端部から圧力ジャケット内に挿入される、一体型設計を有する。これらの実施形態において、シリンジの首部は、患者につながる流体ラインにシリンジが連結され得るように圧力ジャケットの前端部から突出する。これらの圧力ジャケットは、典型的には、圧力ジャケットの近位（後）端部の周囲を囲む溝に係合する結合部材により注入装置ヘッド上に保持される。
【０００６】
しかしながら、このような配置は多くの欠点を伴う。シリンジを装填する間およびシリンジから空気をパージする間に流出した流体が圧力ジャケットと周方向溝の中に入る場合があり、それにより、清掃手順が複雑になる。圧力ジャケットは、近位（後）端部において保持されるので、注入処置の間に周方向溝の領域内で高い軸方向応力にさらされる。このような軸方向応力は、時として注入処置の間に圧力ジャケットが滑り落ちることにつながる可能性があり、このことが、不安させる大きな騒音をもたらす場合がある。加えて、注入装置ヘッドに対する圧力ジャケットの連続的な設置および除去により、周方向溝に著しい摩耗が生じる可能性がある。
【発明の概要】
【発明が解決しようとする課題】
【０００７】
医療分野では種々の流体注入装置が知られているが、流体注入装置の改良が絶えず望まれている。少なくとも１つの圧力ジャケットを有する既存の流体注入装置のある欠点を考えると、当技術分野では、シリンジの装填および取り外しを簡略化する圧力ジャケットを備えた改良された流体注入装置が必要である。注入処置の間の注入装置ヘッドと圧力ジャケットとの相対運動を許容する圧力ジャケット装着接触面に対する更なる必要性がある。上述の利点の１つまたは複数を有する持ち運び可能な流体送達システムに対する更なる必要性がある。
【課題を解決するための手段】
【０００８】
ある実施形態では、少なくとも１つのシリンジと共に使用する流体注入装置が提供される。流体注入装置は、少なくとも１つのシリンジを着脱可能に受け入れるように構成された前端部を有する少なくとも１つの注入装置ヘッドを含んでもよい。注入装置は、注入処置の間に少なくとも１つのシリンジを固定するために少なくとも１つの注入装置ヘッドの前端部に着脱可能に結合された少なくとも１つの圧力ジャケットを更に含んでもよい。少なくとも１つの圧力ジャケットを少なくとも１つの注入装置ヘッドの前端部に着脱可能に連結するために連結機構を設けてもよい。連結機構は、少なくとも１つの磁石を含んでもよい。
【０００９】
他の実施形態において、連結機構は、少なくとも１つの圧力ジャケットにおける第１の磁石と、少なくとも１つの注入装置ヘッドにおける第２の磁石とを含んでもよい。代替的に、少なくとも１つの磁石を少なくとも１つの圧力ジャケットおよび少なくとも１つの注入装置ヘッドの一方に形成してもよく、その一方で、少なくとも１つの圧力ジャケットおよび少なくとも１つの注入装置ヘッドの他方が強磁性材料を含んでもよい。例えば、一実施形態において、少なくとも１つの注入装置ヘッドは、少なくとも１つの磁石を含んでもよく、かつ少なくとも１つの圧力ジャケットは、少なくとも１つの磁石と磁気的に相互作用するように構成された強磁性材料を含んでもよい。強磁性材料を、少なくとも１つの注入装置ヘッドに係合する少なくとも１つの圧力ジャケットの端面上に形成してもよい。少なくとも１つの磁石は、少なくとも１つの圧力ジャケットの端面に対応する形状で配設された複数の磁石であってもよい。少なくとも１つの磁石は、少なくとも１つの注入装置ヘッドの前端部に形成されたポケット内に受け入れられてもよい。別の実施形態において、少なくとも１つの磁石は、圧力ジャケット上に存在してもよく、かつ少なくとも１つの注入装置ヘッドは、少なくとも１つの磁石と磁気的に相互作用するように構成された強磁性材料を含んでもよい。
【００１０】
他の実施形態では、少なくとも１つの圧力ジャケットの遠位端部を保持するためにかつ少なくとも１つのシリンジの遠位端部に係合するように、少なくとも１つのアームを近位端部において少なくとも１つの注入装置ヘッドに枢動可能に連結してもよい。少なくとも１つのアームは、第１の位置と第２位置との間で枢動可能であってもよい。少なくとも１つのアームは、第１の位置に（例えば、係合位置に）磁気的に保持されてもよい。少なくとも１つの圧力ジャケットの遠位端部および少なくとも１つのシリンジの遠位端部に係合するように、保持ブラケットを、少なくとも１つのアームの遠位端部に枢動可能に連結してもよい。保持ブラケットは、第１の位置と第２位置との間で枢動可能であってもよい。保持ブラケットは、少なくとも１つの磁石を含んでもよく、かつ第１の位置に（例えば、係合位置に）磁気的に保持されてもよい。各実施形態において、注入装置ヘッドにおける、圧力ジャケットの近位端部における、圧力ジャケットの遠位端部における、少なくとも１つのアームにおける、および／または保持ブラケットにおける少なくとも１つの磁石は、永久磁石、例えば、強磁性体、希土類磁石、またはアルニコ磁石、または電磁石であってもよい。
【００１１】
他の実施形態では、流体注入装置と共に使用する圧力ジャケットが提供される。圧力ジャケットは、近位端部と遠位端部とを有する筒状本体と、筒状本体の内部にシリンジを受け入れるように構成された、遠位端部におけるシリンジ受入開口と、圧力ジャケットを流体注入装置に着脱可能に連結するように構成された、近位端部における端面を備えた連結部とを含んでもよい。圧力ジャケットは、連結部の少なくとも一部に少なくとも１つの連結要素を有してもよい。少なくとも１つの連結要素は、圧力ジャケットを流体注入装置に着脱可能に連結するために流体注入装置と磁気的に相互作用するように構成してもよい。少なくとも１つの連結要素は、強磁性要素または磁石であってもよい。少なくとも１つの連結要素は、リング状であってもよい。
【００１２】
いくつかの実施形態では、少なくとも１つのシリンジと共に使用する流体注入装置が提供される。流体注入装置は、少なくとも１つのシリンジを着脱可能に受け入れるように構成された前端部を有する少なくとも１つの注入装置ヘッドを含んでもよい。注入装置は、注入処置の間に少なくとも１つのシリンジを内部に固定するために少なくとも１つの注入装置ヘッドの前端部に着脱可能に結合された少なくとも１つの圧力ジャケットを更に含んでもよい。少なくとも１つの圧力ジャケットの遠位端部を保持するために、少なくとも１つのアームを近位端部において少なくとも１つの注入装置ヘッドに枢動可能に連結してもよい。少なくとも１つのアームは、第１の位置と第２位置との間で枢動可能であってもよい。少なくとも１つの連結機構を、少なくとも１つの圧力ジャケットの近位端部を少なくとも１つの注入装置ヘッドの前端部に着脱可能に連結すること（Ａ）と、少なくとも１つのアームを第１の位置に保持すること（Ｂ）との少なくとも一方のために構成してもよい。連結機構は、少なくとも１つの磁石を含んでもよい。少なくとも１つの圧力ジャケットの遠位端部および少なくとも１つのシリンジの遠位端部に係合するように、保持ブラケットを、少なくとも１つのアームの遠位端部に枢動可能に連結してもよい。保持ブラケットは、第１の位置と第２位置との間で枢動可能であってもよい。保持ブラケットは、第１の位置（少なくとも１つの圧力ジャケットの遠位端部および少なくとも１つのシリンジの遠位端部に係合する位置など）に磁気的に保持されてもよい。
【００１３】
流体注入装置と流体注入装置との着脱可能な連結のために構成された圧力ジャケットのこれらおよび他の特徴および特性、ならびに、操作方法、関連する構造要素の機能、部品の組み合わせ、および製造の経済性は、全てが本明細書の一部をなす、添付図面を参照して、以下の説明および添付の特許請求の範囲を考慮することでより明らかになり、添付図面では、類似の参照番号が種々の図において対応する部品を示す。しかしながら、これら図面は、単に例示と説明の目的のためのものであり、本開示の限界を定めるものとして意図されていないことが、明確に理解されるべきである。本明細書および特許請求の範囲で使用する場合、単数形「ａ」、「ａｎ」および「ｔｈｅ」は、文脈がそうでないと明確に定めない限り、複数の指示対象を含む。
【図面の簡単な説明】
【００１４】
【図１】一実施形態に係る流体注入装置の斜視図である。
【図２】アームを第１の閉位置に保持した状態の、図１の流体注入装置と共に使用する１対の圧力ジャケットの斜視図である。
【図３】アームを第２の開位置に保持した状態の、図１の流体送達システムと共に使用する１対の圧力ジャケットの斜視図である。
【図４】図３の分解斜視図である。
【図５】圧力ジャケットを受け入れるための１対の凹部の分解図である。
【図６】ある実施形態に係る圧力ジャケットの分解斜視図である。
【図７】第１の閉位置で示す１対の圧力ジャケットの断面図である。
【図８】図７に示す細部Ａの拡大図である。
【図９】第２の開位置にある流体注入装置の側断面図である。
【図１０】図９に示す細部Ｂの拡大図である。
【図１１】第１の閉位置にある流体注入装置を示す図９の細部Ｂの拡大図である。
【発明を実施するための形態】
【００１５】
以下の説明のために、空間的な向きに関する用語は、参照される実施形態の図面における向きの通りに、それら実施形態に関係するものとする。例えば、用語「上側」、「下側」、「右側」、「左側」、「垂直方向」、「水平方向」、「上部」、「底部」、「横方向」、「長手方向」、およびそれらの派生語は、実施形態の図面における向きの通りに、それら実施形態に関係するものとする。シリンジおよび／または圧力ジャケットとの関連で使用される場合、用語「近位」は、シリンジおよび／または圧力ジャケットの向きが流体注入装置に連結するように定められたときの、流体注入装置に最も近いシリンジおよび／または圧力ジャケットの部分を指す。用語「遠位」は、シリンジおよび／または圧力ジャケットの向きが流体注入装置に連結するように定められたときの、流体注入装置から最も遠いシリンジおよび／または圧力ジャケットの部分を指す。しかしながら、本開示が、それとは反対に特に明記される場合を除き、代替的な変形およびステップの順序を想定し得ることが理解されるべきである。添付の図面に図示し、以下の明細書で説明する特定の装置および工程が単に本開示の例示的な実施形態に過ぎないことも理解されるべきである。したがって、本明細書に開示される実施形態に関連する特定の寸法および他の物理的特性は、限定的なものと見なされるべきではない。
【００１６】
いくつかの図を通して類似の参照符号が類似の部品を指す図面を参照し、本開示は、全体として、ハウジングと前端部とを備えた注入装置ヘッドを有する流体注入装置と共に使用する前方から装填可能な圧力ジャケットシステムを対象とする。
【００１７】
図１を参照するに、流体注入装置１０は、少なくとも１つの注入装置ヘッド１２と注入装置ハウジング１４とを含む。注入装置ヘッド１２を支持構造体（図示せず）上で支持してもよい。図１に示すような、いくつかの実施形態において、流体注入装置１０は、横並びの向きで配設された２つの注入装置ヘッド１２ａ、１２ｂを含んでもよい。各注入装置ヘッド１２ａ、１２ｂは、注入装置ハウジング１４の前端部１６に形成してもよく、かつ少なくとも１つのシリンジ２２ａ、２２ｂを内部に受け入れて保持するように構成してもよい。面板１８は、注入装置ハウジング１４の前端部１６に取り付けられるとともに、注入装置ハウジング１４の前端部１６の少なくとも一部を囲んでもよい。面板１８は、従来の手段（すなわち、機械的締結具など）により注入装置ハウジング１４の前端部１６に固定してもよく、または注入装置ハウジング１４と一体に形成してもよい。図１は２つの注入装置ヘッド１２ａ、１２ｂを備えた流体注入装置１０を図示しているが、流体注入装置１０の他の実施形態は、単一の注入装置ヘッドまたは３つ以上の注入装置ヘッドを含んでもよい。二重ヘッド流体注入装置の一実施形態が、本出願の譲受人に譲渡された米国特許第７５４９９７７号明細書に開示されており、この明細書は、その全体が参照により本明細書に組み込まれる。
【００１８】
図７を参照するに、各注入装置ヘッド１２ａ、１２ｂは、制御器（図示せず）により動作させるモータ（図示せず）によって移動させる往復駆動されるピストンなどの、駆動手段１９ａ、１９ｂを含む。各駆動手段１９ａ、１９ｂは、注入装置ハウジング１４の前端部１６における開口を通ってそれぞれの注入装置ヘッド１２ａ、１２ｂ内にかつそれぞれの注入装置ヘッド１２ａ、１２ｂから延びるように構成してもよい。駆動手段１９ａ、１９ｂは、ピストンの往復移動により、シリンジ２２ａ、２２ｂ内に摺動可能に配置されたプランジャ２０ａ、２０ｂにそれぞれ動力を付与する。プランジャ２０ａ、２０ｂは、シリンジ２２ａ、２２ｂ内で往復移動可能である。
【００１９】
各シリンジ２２ａ、２２ｂは、筒状本体２４ａ、２４ｂと、（例えば、シリンジ２２ａ、２２ｂの近位端部または後端部２３ａ、２３ｂにおいて）筒状本体２４ａ、２４ｂの内部に摺動可能に位置決めされたプランジャ２０ａ、２０ｂとを含む。筒状本体２４ａ、２４ｂは、それぞれ、シリンジ２２ａ、２２ｂの遠位端部または前端部２６ａ、２６ｂに設けられた（ルアーコネクタなどの）コネクタ２８ａ、２８ｂを有する首部２５ａ、２５ｂを含む。各シリンジ２２ａ、２２ｂを、金属、ガラス、プラスチック、または他の従来の材料から製造してもよい。いくつかの実施形態において、少なくとも１つのシリンジ２２ａ、２２ｂは、透明な医療グレードのプラスチック材料から作られる。流体をシリンジ２２ａ、２２ｂから患者に送達するために、少なくとも１つの流体経路セット（図示せず）を各コネクタ２８ａ、２８ｂに結合してもよい。シリンジ２２ａ、２２ｂは、望ましくは、第１の流体および第２の流体をそれぞれ含む。いくつかの実施形態において、第１の流体は、医療撮像処置用の造影液であってもよく、その一方で、第２の流体は、生理食塩水などの洗浄液であってもよい。他の実施形態では、第１のシリンジ２２ａ内に収容された第１の流体が、第２のシリンジ２２ｂ内に収容された第２の流体と同じであっても異なってもよい。
【００２０】
続いて図７を参照するに、圧力ジャケット３０ａ、３０ｂは、各注入装置ヘッド１２ａ、１２ｂに結合される。各圧力ジャケット３０ａ、３０ｂは、シリンジ２２ａ、２２ｂが圧力ジャケット３０ａ、３０ｂ内に装填されたときに、対応するシリンジ２２ａ、２２ｂを内部に径方向に保持する。各圧力ジャケット３０ａ、３０ｂは、それぞれのシリンジ２２ａ、２２ｂを支持し、かつシリンジ２２ａ、２２ｂを注入装置ヘッド１２ａ、１２ｂに装着し、それにより、それぞれの駆動手段１９ａ、１９ｂとのプランジャ２０ａ、２０ｂの各々の連結を可能にする。図４を参照するに、少なくとも１つの圧力ジャケット３０ａ、３０ｂは、（図２に示すように）保持ブラケット３２が第１の閉位置にあるときに保持ブラケット３２に係合するように構成された前端部または遠位端部３６ａ、３６ｂを備えた略円筒形状を有してもよい。少なくとも１つの圧力ジャケット３０ａ、３０ｂの遠位端部３６ａ、３６ｂは、シリンジ２２ａ、２２ｂを圧力ジャケット３０ａ、３０ｂ内に受け入れるためのシリンジ受入口または開口３７ａ、３７ｂを画定してもよい。少なくとも１つの圧力ジャケット３０ａ、３０ｂは、注入装置１０の面板１８における凹部４５ａ、４５ｂに係合するように構成された後端部または近位端部３８ａ、３８ｂを更に含む。近位端部３８ａ、３８ｂはそれぞれ、凹部４５ａ、４５ｂ内に受け入れられるように構成されたアンダーカット部４２ａ、４２ｂを有してもよい。他の実施形態（図示せず）において、少なくとも１つの圧力ジャケット３０ａ、３０ｂの近位端部３８ａ、３８ｂは、シリンジ２２ａ、２２ｂを受け入れるためのシリンジ受入口または開口を画定してもよい。
【００２１】
ある実施形態において、少なくとも１つの圧力ジャケット３０ａ、３０ｂは、シリンジ２２ａ、２２ｂ内のプランジャ２０ａ、２０ｂの位置が確認され得るように半透明または透明な材料から製造され得る略筒状本体４４ａ、４４ｂを有してもよい。いくつかの実施形態では、（図４に３３として示す）覗き窓を少なくとも１つの圧力ジャケット３０ａ、３０ｂ上に設けてもよい。いくつかの実施形態では、少なくとも１つの圧力ジャケット３０ａ、３０ｂを、注入処置の間に少なくとも１つのシリンジ２２ａ、２２ｂのいかなる径方向への膨張をも抑えるのに十分な径方向の強度を有する医療グレードの材料（医療グレードのプラスチック、金属、またはガラスなど）から作ってもよい。各筒状本体４４ａ、４４ｂは、シリンジ２２ａ、２２ｂの本体２４ａ、２４ｂの外面と一致する内面を有する。圧力ジャケット３０ａ、３０ｂの外面は、少なくとも１つの圧力ジャケット３０ａ、３０ｂが注入装置に取り付けられたときにより互いに近接して配設され得るように、平坦部３５（図６に示す）を有してもよい。少なくとも１つの圧力ジャケット３０ａ、３０ｂは、シリンジ２２ａ、２２ｂの外径を円滑にかつぴったりと受け入れるような大きさとされた内径を有する。他の間隙距離を考慮に入れてもよいが、シリンジ２２ａ、２２ｂの外径と圧力ジャケット３０ａ、３０ｂの内径との間の典型的な間隙は、約０．００５インチであってもよい。各圧力ジャケット３０ａ、３０ｂを、注入処置の間にシリンジ２２ａ、２２ｂおよびシリンジ本体２４ａ、２４ｂの径方向外方への膨張を抑制することが可能な材料から作ってもよい。先に述べたように、シリンジ２２ａ、２２ｂおよび／またはシリンジ本体２４ａ、２４ｂ自体は、典型的には、血管造影などの、ある流体注入処置に伴う高圧に耐えることが可能ではない。圧力ジャケット３０ａ、３０ｂは、先に述べたように、シリンジ２２ａ、２２ｂおよびシリンジ本体２４ａ、２４ｂの径方向の膨張を抑えるために使用される。
【００２２】
利用時に、少なくとも１つの圧力ジャケット３０ａ、３０ｂの近位端部３８ａ、３８ｂはそれぞれ、面板１８における凹部４５ａ、４５ｂ内に挿入される。次いで、少なくとも１つのシリンジ２２ａ、２２ｂの近位端部２３ａ、２３ｂを少なくとも１つの圧力ジャケット３０ａ、３０ｂのシリンジ受入開口３７ａ、３７ｂ（図４に示す）内に挿入してもよい。少なくとも１つのシリンジ２２ａ、２２ｂの筒状本体２４ａ、２４ｂは、少なくとも１つの圧力ジャケット３０ａ、３０ｂの対応する筒状本体４４ａ、４４ｂ内で径方向に保持される。各シリンジ２２ａ、２２ｂの遠位端部２５ａ、２５ｂおよび各圧力ジャケット３０ａ、３０ｂの遠位端部３６ａ、３６ｂは、注入装置ハウジング１４の前端部１６からの１対のアーム３４ａ、３４ｂの端部において突出する保持ブラケット３２により保持される。保持ブラケット３２の１対のアーム３４ａ、３４ｂは、第１の閉位置（図２）と第２の開位置（図３）との間で前端部１６に対して枢動可能である。図９を参照するに、アーム３４ａ、３４ｂは、それらアーム３４ａ、３４ｂの近位端部５３ａ、５３ｂを中心に注入装置１０における枢動支点５５ａ、５５ｂを中心に矢印方向Ａに枢動する。閉位置（図２を参照）において、保持ブラケット３２は、シリンジ２２ａ、２２ｂおよび圧力ジャケット３０ａ、３０ｂを長手方向に保持しかつ注入処置の間のシリンジ２２ａ、２２ｂの動きを防止または抑制するために、シリンジ２２ａ、２２ｂの遠位端部２６ａ、２６ｂおよび／または少なくとも１つの圧力ジャケット３０ａ、３０ｂの遠位端部３６ａ、３６ｂに係合する。開位置（図２または図９を参照）において、保持ブラケット３２は、シリンジ２２ａ、２２ｂおよび／または圧力ジャケット３０ａ、３０ｂが注入装置ハウジング１４に対して挿入／除去されることを可能にするために、アーム３４ａ、３４ｂの枢動移動により、シリンジ２２ａ、２２ｂの遠位端部２６ａ、２６ｂおよび／または少なくとも１つの圧力ジャケット３０ａ、３０ｂの遠位端部３６ａ、３６ｂとの係合から外れて下方に（または別の実施形態では上方に）枢動する。保持ブラケット３２は、アーム３４ａ、３４ｂの遠位端部５９ａ、５９ｂにおける第２の枢動軸５７ａ、５７ｂを中心に枢動可能であってもよい。保持ブラケット３２が閉位置（図２）にあるときに、駆動手段１９ａ、１９ｂはそれぞれ、シリンジ２２ａ、２２ｂから流体を放出するかまたは流体をシリンジ２２ａ、２２ｂ内に引き込むためにプランジャ２０ａ、２０ｂの一方または両方を選択的に駆動するように作動させることができる。図７を参照するに、駆動手段１９ａ、１９ｂの電動ピストンがシリンジプランジャ２０ａ、２０ｂに係合したときに、ピストンは、シリンジ首部２５ａ、２５ｂから流体を外に出すために、シリンジ２２ａ、２２ｂの本体２４ａ、２４ｂを通してプランジャ２０ａ、２０ｂを遠位端部２６ａ、２６ｂ側に前方に押し出す。代替的に、ピストンは、流体をシリンジ２２ａ、２２ｂ内に引き込むために、シリンジ２２ａ、２２ｂの本体２４ａ、２４ｂを通してプランジャ２０ａ、２０ｂを近位端部２３ａ、２３ｂ側に後方に引っ張ってもよい。
【００２３】
図５および図６を参照するに、少なくとも１つの圧力ジャケット３０ａ、３０ｂを少なくとも１つの注入装置ヘッド１２ａ、１２ｂに結合するための連結機構６３の実施形態が説明されている。いくつかの実施形態において、連結機構６３は、注入装置ヘッド１２ａ、１２ｂに１つまたは複数の第１の磁石４８を含む。１つまたは複数の第１の磁石４８を注入装置１０（図１に示す）の前端部１６および／または面板１８上に設けてもよい。別の実施形態では、１つまたは複数の第１の磁石４８を少なくとも１つの圧力ジャケット３０ａ、３０ｂの近位端部３８ａ、３８ｂ上に設けてもよい。いくつかの実施形態において、１つまたは複数の第１の磁石４８は、任意の永久磁石または非永久磁石であってもよい。他の実施形態において、１つまたは複数の第１の磁石４８は、磁気活性化が制御器により制御される１つまたは複数の電磁石であってもよい。ある実施形態によれば、１つまたは複数の第１の磁石４８は、１つまたは複数の第１の磁石４８の場所に応じて、前端部１６、注入装置１０（図１に示す）の面板１８、または少なくとも１つの圧力ジャケット３０ａ、３０ｂの近位端部３８ａ、３８ｂにおける強磁性材料（強磁性金属など）と相互作用してもよい。これらの実施形態によれば、１つまたは複数の第１の磁石４８は、強磁性材料に磁気吸引されるように構成される。他の実施形態において、例えば、注入装置１０の前端部１６または少なくとも１つの圧力ジャケット３０ａ、３０ｂの近位端部３８ａ、３８ｂにおける、１つまたは複数の第１の磁石４８は、それぞれ、少なくとも１つの圧力ジャケット３０ａ、３０ｂの近位端部３８ａ、３８ｂまたは注入装置１０の前端部１６に位置する１つまたは複数の第２の磁石（図示せず）と相互作用するように構成してもよい。図５に示す実施形態では、注入装置ヘッド１２ａ、１２ｂの前端部１６の一実施形態の分解図が示されている。面板１８は、面板１８が前端部１６の形状と前端部１６に形成された凹部４０とに実質的に対応するように前端部１６を覆うように設けられる。面板１８は、前端部１６における凹部４０に対応する少なくとも１つの凹部４５ａ、４５ｂを有してもよい。少なくとも１つの凹部４５ａ、４５ｂは、少なくとも１つの圧力ジャケット３０ａ、３０ｂの少なくとも一部を受け入れるように構成される。１つまたは複数の第１の磁石４８が凹部４０の底面４１の少なくとも一部に沿って位置決めされるように、１つまたは複数の第１の磁石４８を前端部１６上に設けてもよい。いくつかの実施形態において、１つまたは複数の第１の磁石４８は、凹部４０の底面４１に対する凹所に配置される。１つまたは複数の第１の磁石４８の上部が凹部４０の底面４１と同じ高さとなるように、１つまたは複数の磁石４８を１つまたは複数の磁石ポケット３９の凹所内に配置してもよい。他の実施形態では、１つまたは複数の第１の磁石４８を底面４１の上に直に設けてもよい。このような実施形態では、１つまたは複数の磁石４８を、面板１８の少なくとも一部に形成された磁石ポケット（図示せず）の凹所内に配置してもよい。ある実施形態において、１つまたは複数の第１の磁石４８は、底面４１または面板１８における磁石ポケットと共に位置するとともに、底面４１または面板１８のプラスチック材料などの、材料により覆われてもよい。一実施形態において、複数の第１の磁石４８は、駆動手段１９ａ、１９ｂ（図７に示す）が貫通する中央開口４３ａ、４３ｂの周りに（例えば、周方向配置で）設けられる。１つまたは複数の第１の磁石４８からの磁界が面板１８の材料を透過できるように、１つまたは複数の第１の磁石４８を面板１８にごく近接するように位置決めしてもよい。面板１８を強磁性材料または非強磁性材料から作ってもよい。他の実施形態では、１つまたは複数の第１の磁石４８を面板１８上に直に設けてもよい。例えば、１つまたは複数の第１の磁石４８を、面板１８に直に埋設するか、または面板１８の上面または下面上に保持してもよい。
【００２４】
図６を参照するに、圧力ジャケット３０ａ、３０ｂの近位端部３８ａ、３８ｂは、近位端部３８ａ、３８ｂの周辺部の少なくとも一部の周りに延びるリング５０ａ、５０ｂを含む。リング５０ａ、５０ｂは、一体のものであっても、複数の別個のリングセグメントから形成してもよい。リング５０ａ、５０ｂは、圧力ジャケット３０ａ、３０ｂの端面４７ａ、４７ｂの少なくとも一部上に保持されてもよい。ある実施形態では、圧力ジャケット３０ａ、３０ｂを強磁性材料で作ってもよく、これにより強磁性リング５０ａ、５０ｂが不要となるが、圧力ジャケット３０ａ、３０ｂは典型的には非磁性材料から作製されるので、リング５０ａ、５０ｂは望ましくは強磁性材料から作られる。一実施形態では、リング５０ａ、５０ｂを磁性ステンレス鋼材料から作ってもよい。リング５０ａ、５０ｂは、例えば、１つまたは複数の締結具５１、締まり嵌め連結、接着連結、および／または一体成形により、圧力ジャケット３０ａ、３０ｂの後端部３８ａ、３８ｂに結合される。リング５０ａ、５０ｂは、注入装置ヘッド１２ａ、１２ｂの前端部１６上に設けられた１つまたは複数の第１の磁石４８と相互作用するように構成される。望ましくは、１つまたは複数の第１の磁石４８は、リング５０ａ、５０ｂの形状に実質的に対応する構成で配設される。いくつかの実施形態において、少なくとも１つの圧力ジャケット３０ａ、３０ｂが面板１８における凹部４５ａ、４５ｂ内に挿入されたときに、１つまたは複数の第１の磁石４８の少なくとも１つがリング５０ａ、５０ｂの少なくとも１つを磁気吸引するように、リング５０ａ、５０ｂの少なくとも一部が、１つまたは複数の第１の磁石４８を覆うように位置決めされる。図５〜図８は第１の磁石４８が注入装置ヘッド１２ａ、１２ｂの前端部１６上に設けられる実施形態を図示しているが、この配置を１つまたは複数の第１の磁石４８が圧力ジャケット３０ａ、３０ｂ上に設けられるように入れ替えることができる。この配置において、第１の磁石４８は、面板１８または前端部１６における強磁性材料と相互作用する。２つの圧力ジャケット３０ａ、３０ｂが設けられるある実施形態では、個々の圧力ジャケットが特定の凹部に対して特別な圧力ジャケットとなるように、個々の圧力ジャケット３０ａ、３０ｂと面板１８の個々の凹部４５ａ、４５ｂ内とにおける磁石／強磁性材料の向きが正反対であってもよく、その結果、両圧力ジャケットと凹部との間の磁気吸引力には特定の圧力ジャケットと特定の凹部との組み合わせが必要となる。このことは、例えば、２つの医療用流体（各シリンジから１つ）が送達されておりかつ特定の医療用流体に対する特定の圧力ジャケット（特定のシリンジサイズを収容する特定のジャケットサイズまたは特定の圧力に対応するジャケット強度など）を必要とするときに望ましい場合がある。
【００２５】
他の実施形態では、１つまたは複数の磁石を、注入装置１０（図１に示す）の前端部１６または面板１８および少なくとも１つの圧力ジャケット３０ａ、３０ｂの近位端部３８ａ、３８ｂ上に設けてもよい。続いて図６を参照するに、注入装置１０の前端部１６または面板１８が図５を参照して説明したように１つまたは複数の第１の磁石４８を有する一方で、１つまたは複数の第２の磁石４９を少なくとも１つの圧力ジャケット３０ａ、３０ｂの近位端部３８ａ、３８ｂ上に設けてもよい。１つまたは複数の第２の磁石４９を、少なくとも１つの圧力ジャケット３０ａ、３０ｂの近位端部３８ａ、３８ｂにおける側壁内に埋設してもよい。他の実施形態において、１つまたは複数の第２の磁石４９は、圧力ジャケット３０ａ、３０ｂの端面４７ａ、４７ｂの少なくとも一部上に保持されてもよい。圧力ジャケット３０ａ、３０ｂにおける１つまたは複数の第２の磁石４９が注入装置１０の前端部１６または面板１８における１つまたは複数の第１の磁石４８の磁界内に運ばれたときに吸引磁力が生成されるように、注入装置１０の前端部１６または面板１８における１つまたは複数の第１の磁石４８の極を圧力ジャケット３０ａ、３０ｂにおける１つまたは複数の第２の磁石４９の極と正反対になるように配設してもよい。いくつかの実施形態において、１つまたは複数の第２の磁石４９は、任意の永久磁石または非永久磁石であってもよい。他の実施形態において、１つまたは複数の第２の磁石４９は、磁気活性化が制御器により制御される電磁石であってもよい。２つの圧力ジャケットを含むある実施形態では、一方の圧力ジャケット内の第２の磁石４９の極配置が他方の圧力ジャケット内の第２の磁石４９の極配置と正反対の配置であってもよく、かつ一方の凹部内の１つまたは複数の第１の磁石４８の極配置が他方の凹部内の１つまたは複数の第１の磁石４８の極配置と正反対の配置であってもよい。本実施形態によれば、特定の圧力ジャケットは、２つの凹部の一方のみとの磁気吸引力を示し、かつ２つの凹部の他方との磁気反発力を示す。このことは、例えば、本明細書で述べるように、２つの医療用流体（各シリンジから１つ）が送達されておりかつ特定の医療用流体に対する特定の圧力ジャケットを必要とするときに望ましい場合がある。
【００２６】
図７を参照するに、実施形態によれば、１対の圧力ジャケット３０ａ、３０ｂは、保持ブラケット３２が第１の閉方向に位置決めされた組み立てられた構成で示されている。圧力ジャケット３０ａ、３０ｂの遠位端部３６ａ、３６ｂは、近位端部３８ａ、３８ｂが注入装置１０の前端部１６に近接して配設される一方で、保持ブラケット３２に近接して配設される。特に、各圧力ジャケット３０ａ、３０ｂのアンダーカット部４２ａ、４２ｂは、面板１８における凹部４５ａ、４５ｂの少なくとも一部内に受け入れられる。図７に示す細部Ａの拡大図である、図８に示す実施形態を参照するに、圧力ジャケット３０ｂのリング５０ｂは、１つまたは複数の第１の磁石４８の磁界がリング５０ｂの強磁性材料と相互作用するように１つまたは複数の第１の磁石４８に対向して位置決めされる。このように、１つまたは複数の第１の磁石４８の磁力は、リング５０ｂが圧力ジャケット３０ｂと一緒に注入装置１２ｂ上に保持されるように、リング５０ｂを１つまたは複数の第１の磁石４８側に軸方向に引き寄せる。圧力ジャケット３０ａを同じような方法で保持してもよい。清掃またはメンテナンスなどの間に、注入装置ヘッド１２ａ、１２ｂから圧力ジャケット３０ａ、３０ｂを外すために、圧力ジャケット３０ａ、３０ｂは、注入装置ヘッド１２ａ、１２ｂに対して圧力ジャケット３０ａ、３０ｂを保持する１つまたは複数の第１の磁石４８の吸引力に打ち勝つのに十分な軸方向力で、圧力ジャケット３０ａ、３０ｂの近位端部から遠位端部へ軸方向に１つまたは複数の第１の磁石４８から離れる方向に付勢される。代替的に、１つまたは複数の第１の磁石４８が電磁石を含む実施形態では、１つまたは複数の第１の磁石４８への電流を遮断してもよく、それにより、電磁吸引力を取り除きかつ１つまたは複数の圧力ジャケット３０ａ、３０ｂの取り外しを可能にする。手動でまたは注入装置ヘッド１２ａ、１２ｂから圧力ジャケット３０ａ、３０ｂを外す手動機構もしくは自動化機構により圧力ジャケット３０ａ、３０ｂを引っ張ることにより、各圧力ジャケット３０ａ、３０ｂを外してもよい。
【００２７】
圧力ジャケットは保持ブラケット３２により係合位置に概ね保持されるが、注入処置の間に、少なくとも１つの圧力ジャケット３０ａ、３０ｂの軸方向移動により、軸方向力が第１の磁石４８の磁力を上回る場合に圧力ジャケットが注入装置ヘッド１２ａ、１２ｂから外されるようにしてもよい。このような移動は、圧力ジャケット３０ａ、３０ｂが注入装置ヘッド１２ａ、１２ｂに強固に連結された場合に圧力ジャケット３０ａ、３０ｂと注入装置ヘッド１２ａ、１２ｂとの接触面に通常存在する応力を低減する。圧力ジャケット３０ａ、３０ｂの遠位端側への更なる移動は、保持ブラケット３２により制限される。注入処置の完了時に、圧力ジャケット３０ａ、３０ｂは、１つまたは複数の第１の磁石４８の磁力の作用下で注入装置ヘッド１２ａ、１２ｂに再連結される。
【００２８】
図９および図１０を参照するに、アーム３４ａ、３４ｂを第２の開位置に保持するための保持機構５１ａ、５１ｂの実施形態が図示されている。最初に図９を参照するに、アーム３４ａ、３４ｂ（３４ｂのみを図示）は、注入装置１０における枢動支点５５ａ、５５ｂの周りを枢動可能である。図２および図３を参照して上で説明したように、アーム３４ａ、３４ｂは、枢動支点５５ａ、５５ｂを中心に枢動することにより第１の閉位置（図２）と第２の開位置（図３および図９）との間で移動可能である。保持ブラケット３２がアーム３４ａ、３４ｂよりも実質的に重いある実施形態では、アーム３４ａ、３４ｂを下方向に付勢する傾向にある、十分なトルクが枢動支点５５ａ、５５ｂに加えられる可能性がある。このトルクに起因してアーム３４ａ、３４ｂが下方に引っ張られるのを防止する目的で、アーム３４ａ、３４ｂを閉位置に保持するためにアーム３４ａ、３４ｂ上に設けられた少なくとも１つの強磁性要素５４ａ、５４ｂと相互作用する少なくとも１つの第３の磁石５２ａ、５２ｂを注入装置１０上に含む保持機構５１ａ、５１ｂを設けてもよい。図９における細部Ｂの拡大図である、図１０を参照するに、第３の磁石５２ａ、５２ｂを注入装置ヘッド１２ａ、１２ｂ上に設けてもよく、かつ強磁性要素５４ａ、５４ｂをアーム３４ａ、３４ｂ上に設けてもよい。一実施形態において、強磁性要素５４ａ、５４ｂは、アーム３４ａ、３４ｂに貼着される。いくつかの実施形態では、第３の磁石５２ａ、５２ｂを注入装置ヘッド１２ａ、１２ｂの一方のみに設けてもよく、かつ強磁性要素５４ａ、５４ｂを対応するアーム３４ａまたは３４ｂ上に設けてもよい。他の実施形態では、強磁性要素５４ａ、５４ｂを注入装置ヘッド１２ａ、１２ｂ上に設ける一方で、第３の磁石５２ａ、５２ｂをアーム３４ａ、３４ｂ上に設けてもよい。他の実施形態では、反対の極を有する２つの第３の磁石５２ａ、５２ｂをアーム３４ａ、３４ｂおよび注入装置ヘッド１２ａ、１２ｂ上に設けてもよい。いくつかの実施形態において、第３の磁石５２ａ、５２ｂは、任意の永久磁石または非永久磁石であってもよい。他の実施形態において、第３の磁石５２ａ、５２ｂは、磁気活性化が制御器により制御される電磁石であってもよい。
【００２９】
開位置（図１０）では、強磁性要素５４ａ、５４ｂが第３の磁石５２ａ、５２ｂにより磁気的に保持されず、それにより、アーム３４ａ、３４ｂが下方に揺動する。アーム３４ａ、３４ｂを上方向に揺動させることによりアーム３４ａ、３４ｂを閉位置（図１１）に枢動させると、アーム３４ａ、３４ｂを閉位置に保持するためにかつアーム３４ａ、３４ｂが閉位置から離れて下方に枢動するのを防止するために、第３の磁石５２ａ、５２ｂの磁力が強磁性要素５４ａ、５４ｂを吸引する。いくつかの実施形態では、各凹部４５ａ、４５ｂにおける単一の磁石が圧力ジャケット３０ａ、３０ｂの対応する少なくとも一方およびアーム３４ａ、３４ｂの対応する少なくとも一方の各々を保持するように構成されるように、１つまたは複数の第３の磁石５２ａ、５２ｂを、前端部１６または面板１８における１つまたは複数の第１の磁石４８と一体的に形成してもよい。
【００３０】
図９〜図１１は、第３の磁石５２ａ、５２ｂが注入装置ヘッド１２ａ、１２ｂの少なくとも一方に設けられかつ強磁性要素５４ａ、５４ｂがアーム３４ａ、３４ｂの少なくとも一方に設けられる実施形態を図示しているが、この配置を強磁性要素５４ａ、５４ｂが注入装置ヘッド１２ａ、１２ｂ上に設けられかつ第３の磁石５２ａ、５２ｂがアーム３４ａ、３４ｂ上に設けられるように入れ替えてもよい。追加的に、アーム３４ａ、３４ｂが強磁性材料から作られる実施形態では、強磁性要素５４ａ、５４ｂがアーム３４ａ、３４ｂの一部であってもよい。同様に、強磁性要素５４ａ、５４ｂが注入装置ヘッド１２ａ、１２ｂ上に設けられる実施形態では、強磁性要素５４ａ、５４ｂが注入装置ヘッド１２ａ、１２ｂの強磁性部であってもよい。他の実施形態では、アーム３４ａ、３４ｂの少なくとも一方が磁石を有してもよく、かつ注入装置ヘッド１２ａ、１２ｂの少なくとも一方は、アーム３４ａ、３４ｂが閉位置にあるときにアーム３４ａ、３４ｂの少なくとも一方に面する反対の磁極を有する磁石を有してもよい。
【００３１】
図９を参照するに、保持ブラケット３２は、アーム３４ａ、３４ｂの遠位端部５９ａ、５９ｂにおける第２の枢動支点５７ａ、５７ｂを中心に矢印方向Ｂに枢動可能である。いくつかの実施形態において、保持ブラケット３２の枢動移動は、少なくとも１つの圧力ジャケット３０ａ、３０ｂおよび／または少なくとも１つのシリンジ２２ａ、２２ｂを注入装置１０に設置するための更なる余地をもたらす。種々の実施形態では、１つまたは複数の第４の磁石６０ａ、６０ｂを、アーム３４ａ、３４ｂの少なくとも一方の少なくとも一部またはアーム３４ａ、３４ｂの遠位端部５９ａ、５９ｂにおける強磁性部と磁気的に相互作用するように保持ブラケット３２上に設けてもよい。１つまたは複数の第４の磁石６０ａ、６０ｂは、アーム３４ａ、３４ｂの長手方向長さに対して実質的に直交する向きで保持ブラケット３２を保持するように構成してもよい。１つまたは複数の第４の磁石６０ａ、６０ｂは、アーム３４ａ、３４ｂが１つまたは複数の第４の磁石６０ａ、６０ｂの磁界内にあるときに保持ブラケット３２を保持するためにアーム３４ａ、３４ｂの少なくとも一部と磁気的に相互作用するように構成してもよい。図９は１つまたは複数の第４の磁石６０ａ、６０ｂが保持ブラケット３２上に設けられる実施形態を図示しているが、この配置を１つまたは複数の第４の磁石６０ａ、６０ｂがアーム３４ａ、３４ｂ上に設けられるように入れ替えてもよい。他の実施形態では、アーム３４ａ、３４ｂの少なくとも一方が第４の磁石を有してもよく、かつ保持ブラケット３２が、アーム３４ａ、３４ｂの少なくとも一方に面する反対の磁極を有する第５の磁石を有してもよい。他の実施形態において、１つまたは複数の第４の磁石は、保持ブラケット３２を少なくとも１つの圧力ジャケット３０ａ、３０ｂに対して保持するために、少なくとも１つの圧力ジャケット３０ａ、３０ｂの遠位端部３６ａ、３６ｂにおける強磁性要素と相互作用してもよい。既に述べたように、この配置を入れ替えてもよく、または、この配置が、保持ブラケット３２と少なくとも１つの圧力ジャケット３０ａ、３０ｂの遠位端部３６ａ、３６ｂとに正反対の極配置で磁石を含んでもよい。
【００３２】
磁気的に保持する圧力ジャケットを備えた流体送達システムの種々の実施形態を前述の説明において提示したが、当業者であれば、本開示の範囲および精神から逸脱することなく、それらの実施形態に修正および変更を加え得る。例えば、本開示が、可能な範囲で、任意の実施形態の１つまたは複数の特徴を任意の他の実施形態の１つまたは複数の特徴と組み合わせることができることを企図していることが理解されるべきである。よって、前述の説明は、限定的ではなく、例示的であるように意図されている。
【符号の説明】
【００３３】
１０  流体注入装置
１２  注入装置ヘッド
１４  注入装置ハウジング
１８  面板
１９  駆動手段
２０ａ、２０ｂ  シリンジプランジャ
２２ａ、２２ｂ  シリンジ
２４ａ、２４ｂ  シリンジ本体
３０ａ、３０ｂ  圧力ジャケット
３２  保持ブラケット
３４ａ、３４ｂ      アーム
３７ａ、３７ｂ  シリンジ受入開口
４０  凹部
４２  アンダーカット部
４４ａ、４４ｂ  筒状本体
４５ａ、４５ｂ  凹部
４７ａ、４７ｂ  端面
４８  第１の磁石
４９  第２の磁石
５０ａ、５０ｂ  リング
５１ａ、５１ｂ  保持機構
５２  第３の磁石
６０  第４の磁石
６３  連結機構
【図１】
0006507159.tif 000002
【図２】
0006507159.tif 000003
【図３】
0006507159.tif 000004
【図４】
0006507159.tif 000005
【図５】
0006507159.tif 000006
【図６】
0006507159.tif 000007
【図７】
0006507159.tif 000008
【図８】
0006507159.tif 000009
【図９】
0006507159.tif 000010
【図１０】
0006507159.tif 000011
【図１１】
0006507159.tif 000012